(57)【要約】【課題】コンテンツ再生装置において、所望の曲を再生することができ、ユーザにとって使い勝手がよいようにする。【解決手段】まず、ユーザは、ディスプレイに表示された曲コンテンツの検索条件の中から任意の条件を指定する。上記検索条件には、「アーティスト名」、「アルバム名」、「ジャンル」、及び「リリース月」がある。ユーザによって「リリース月」が選択されたものとすると、ディスプレイにはリリース月（「１月」〜「１２月」）の指定画面が表示される。この画面で、ユーザによって「１２月」が選択されたとすると、制御用マイコンは、サーバに記録されている曲コンテンツの中からリリース月が「１２月」に対応するコンテンツを抽出し、作成月が「１２月」である曲コンテンツのリストをディスプレイ２１に表示する。ユーザによってこのリストの中から再生したい曲コンテンツが選択されると、選択された曲コンテンツが再生される。【選択図】図６
2009103920.tif 000002
【特許請求の範囲】
【請求項１】
楽曲等の曲コンテンツデータ（以下、曲コンテンツという）が記録された記録媒体を有するサーバとネットワークを介して接続され、
前記サーバから前記曲コンテンツを受信するための受信手段と、
前記受信手段が受信した前記曲コンテンツを再生する再生手段と、
前記再生手段により再生された曲コンテンツの音声を出力する出力手段と、
前記曲コンテンツのリストを表示するための表示手段と、
ユーザによって操作される操作手段と、
装置各部を制御する制御手段とを備えたコンテンツ再生装置において、
前記サーバの前記記録媒体には、前記曲コンテンツを作成した日を示す作成日がさらに記録され、
前記制御手段は、
前記曲コンテンツの作成月に基いて前記サーバに記録された該曲コンテンツを抽出した後、抽出した曲コンテンツを示す曲コンテンツのリストを前記表示手段に表示し、
前記曲コンテンツのリストの中から曲が選択されたとき、前記再生手段を用いて、選択された曲コンテンツを再生することを特徴とするコンテンツ再生装置。
【請求項２】
前記制御手段は、
前記曲コンテンツの作成月に対応する季節情報に基いて前記サーバに記録された該曲コンテンツを抽出した後、抽出した曲コンテンツを示す曲コンテンツのリストを前記表示手段に表示することを特徴とする請求項１に記載のコンテンツ再生装置。
【発明の詳細な説明】
【技術分野】
【０００１】
本発明は、コンテンツ再生装置に関し、ユーザが所望する曲を再生するコンテンツ再生装置に関する。
【背景技術】
【０００２】
近年、ＤＬＮＡ（Ｄｉｇｉｔａｌ  Ｌｉｖｉｎｇ  Ｎｅｔｗｏｒｋ  Ａｌｌｉａｎｃｅ）に対応したネットワークプレーヤ、及びホームサーバ等の情報機器を、ネットワークを介して接続し、これらの機器同士がＵＰｎＰ（Ｕｎｉｖｅｒｓａｌ  Ｐｌｕｇ  ａｎｄ  Ｐｌａｙ）規格に従って通信を行うものが普及している。
【０００３】
また、従来から、楽曲等の曲コンテンツデータ（以下、曲コンテンツという）が記録されたホームサーバ（以下、サーバという）にネットワークを介して接続されたネットワークプレーヤにおいて、ユーザによって指定された条件を満たす曲をサーバから取得し、取得した曲コンテンツを再生するものが知られている（特許文献１乃至特許文献３参照）。
【０００４】
これらのネットワークプレーヤは、ユーザによって曲コンテンツの作成日が指定されると、指定された条件を満たす曲コンテンツを取得し、自動的に再生を行うものである。そのため、ユーザが条件を満たす曲の中から所望の曲を選択して再生することができないので、使い勝手が悪いという問題がある。
【特許文献１】特開２００７−２００４２４号公報
【特許文献２】特開２００５−４４３９１号公報
【特許文献３】特開２００７−３４５８５号公報
【発明の開示】
【発明が解決しようとする課題】
【０００５】
本発明は、上述した問題点を解決するためになされたものであり、ユーザが所望の曲を再生することができ、ユーザにとって使い勝手がよいコンテンツ再生装置を提供することを目的とする。
【課題を解決するための手段】
【０００６】
上記目的を達成するために請求項１の発明は、楽曲等の曲コンテンツデータ（以下、曲コンテンツという）が記録された記録媒体を有するサーバとネットワークを介して接続され、前記サーバから前記曲コンテンツを受信するための受信手段と、前記受信手段が受信した前記曲コンテンツを再生する再生手段と、前記再生手段により再生された曲コンテンツの音声を出力する出力手段と、前記曲コンテンツのリストを表示するための表示手段と、ユーザによって操作される操作手段と、装置各部を制御する制御手段とを備えたコンテンツ再生装置において、前記サーバの前記記録媒体には、前記曲コンテンツを作成した日を示す作成日がさらに記録され、前記制御手段は、前記曲コンテンツの作成月に基いて前記サーバに記録された該曲コンテンツを抽出した後、抽出した曲コンテンツを示す曲コンテンツのリストを前記表示手段に表示し、前記曲コンテンツのリストの中から曲が選択されたとき、前記再生手段を用いて、選択された曲コンテンツを再生するものである。
【０００７】
請求項２に記載の発明は、請求項１に記載のコンテンツ再生装置において、前記制御手段は、前記曲コンテンツの作成月に対応する季節情報に基いて前記サーバに記録された該曲コンテンツを抽出した後、抽出した曲コンテンツを示す曲コンテンツのリストを前記表示手段に表示するものである。
【発明の効果】
【０００８】
請求項１に記載の発明によれば、曲コンテンツの作成月に基いて抽出した曲コンテンツのリストを表示手段に表示し、このリストの中からユーザにより曲が選択されたときに、選択された曲コンテンツを再生する。そのため、ユーザは所望の曲をリストの中から選択して再生させることができ、ユーザにとって使い勝手が良い。また、季節に合った曲を容易に選択して再生させることが可能となる。
【０００９】
請求項２に記載の発明によれば、季節情報に基いて曲コンテンツを抽出することができるため、季節に合った曲を容易に選択することができ、ユーザとって使い勝手が良い。
【発明を実施するための最良の形態】
【００１０】
以下、本発明の一実施形態に係るネットワークプレーヤ（コンテンツ再生装置）について、図１乃至図３を参照して説明する。図１は、ネットワークプレーヤ２と、ホームネットワークサーバ（以下、サーバという）３とを含むホームネットワークシステム１の概略を示し、図２は、ネットワークプレーヤ２の内部構成を示すブロック図であり、図３は、サーバ３の内部構成を示すブロック図である。ネットワークプレーヤ２とサーバ３とはネットワーク４を介して接続されている。
【００１１】
サーバ３には楽曲等の曲コンテンツデータ（以下、曲コンテンツという）や、デジタル写真等の画像コンテンツが記録されている。ネットワークプレーヤ２はネットワーク４を介してサーバ３と通信可能であり、サーバ３から各種コンテンツを受信して、曲コンテンツや画像コンテンツの再生を行うことができる。
【００１２】
ネットワークプレーヤ２とサーバ３とはＤＬＮＡ（Ｄｉｇｉｔａｌ  Ｌｉｖｉｎｇ  Ｎｅｔｗｏｒｋ  Ａｌｌｉａｎｃｅ）に対応しており、ネットワーク４上のＤＬＮＡ対応機器の追加、又は削除を容易に行うことができる。
【００１３】
ネットワークプレーヤ２は、図２に示すように、ユーザによって操作され、装置各部を指示するための操作部（操作手段）２３と、ネットワーク４（図１参照）に接続され、サーバ３からコンテンツやコンテンツ情報等を受信するためのネットワークインタフェース（受信手段）２４と、コンテンツ等を表示するためのディスプレイ（表示手段）２１と、音声等を出力するスピーカ（出力手段）２２とを備える。
【００１４】
また、ネットワークプレーヤ２は、ネットワークプレーヤ２の装置各部の制御を行うための制御用マイコン（制御手段）２０と、制御用マイコン２０を動作させるためのプログラムや、サーバ３から受信したコンテンツ等の情報を記憶するためのメモリ２５とをさらに備える。
【００１５】
制御用マイコン２０は、請求項における再生手段として機能する。制御用マイコン２０によって再生された各種コンテンツは、映像がディスプレイ２１に出力され、音声がスピーカ２２に出力される。
【００１６】
サーバ３は、図３に示すように、ユーザによって操作され、各部に指示を与えるための操作部３１と、ネットワーク４（図１参照）に接続するためのネットワークインタフェース３４と、曲コンテンツや画像コンテンツが記録されたＨＤＤ（ハードディスクドライブ；請求項における記録媒体）３２と、サーバ３の装置各部を制御するための制御用マイコン３０と、制御用マイコン３０を動作させるためのプログラム等が記録されたメモリ３３とを備える。
【００１７】
ＨＤＤ３２には、曲コンテンツや画像コンテンツのデータに加えて、曲コンテンツの作成日や画像コンテンツの作成日がさらに記録されている。上記コンテンツの作成日は、コンテンツのデータがＨＤＤ３２に取り込まれた（コピーされた）日ではなく、曲コンテンツのコピー元となるＣＤ（Ｃｏｍｐａｃｔ  Ｄｉｓｃ）等に記録されているコンテンツの作成日である。
【００１８】
次に、ネットワークプレーヤ２による曲コンテンツの再生手順について、図４乃至図６を参照して説明する。ここでは、ユーザによって指定された条件を満たす曲コンテンツの再生手順について説明する。まず、ユーザは、制御用マイコン２０によってディスプレイ２１に表示された曲コンテンツの検索条件の中から任意の条件を指定する。
【００１９】
図４に示すように、上記検索条件には、「アーティスト名」、「アルバム名」、「ジャンル」、及び「リリース月」がある。リリース月は、曲コンテンツの作成月と同義である。なお、検索条件はこれに限られず、曲コンテンツの作成年や、作成年月や、作成年月日などであってもよい。
【００２０】
図４に示されるように、曲検索条件指定画面において、ユーザによって「リリース月」が選択されると、制御用マイコン２０は、図５に示すように、ディスプレイ２１に、リリース月（「１月」〜「１２月」）の指定画面を表示する。ユーザは、この中から所望のリリース月を選択する。
【００２１】
図５に示すように、リリース月指定画面において、ユーザによって「１２月」が選択されると、制御用マイコン２０は、図６に示すように、サーバ３に記録されている曲コンテンツの中からリリース月が「１２月」に対応するコンテンツを抽出し、リリース月が「１２月」である曲コンテンツのリストをディスプレイ２１に表示する。ユーザによってこのリストの中から再生したい曲コンテンツが選択されると、制御用マイコン２０は、選択された曲コンテンツの再生を行う。
【００２２】
上記のようにネットワークプレーヤ２によれば、曲コンテンツの作成月に基いて抽出した曲コンテンツのリストをディスプレイ２１に表示し、ユーザによってこのリストの中から曲が選択されたとき、選択された曲コンテンツを再生する。そのため、ユーザは所望の曲をリストの中から選択して再生させることができ、ユーザにとって使い勝手が良い。また、季節に合った曲を容易に選択して再生させることが可能となる。
【００２３】
次に、ネットワークプレーヤ２による曲コンテンツの再生手順の変形例について、図７乃至図９を参照して説明する。ここでは、曲コンテンツの検索条件として、「アーティスト名」、「アルバム名」、「ジャンル」、及び「季節」があり、図７に示すように、制御用マイコン２０によって曲検索条件指定画面がディスプレイ２１に表示されている。
【００２４】
図７に示すように、曲検索条件指定画面において、ユーザによって「季節」が選択されると、制御用マイコン２０は、図８に示すように、ディスプレイ２１に季節を選択指定するための季節指定画面を表示する。ユーザはこの中から所望の季節を選択する。
【００２５】
図８に示すように、季節指定画面において、ユーザにより「冬」が選択されると、制御用マイコン２０は、サーバ３に記録されている曲コンテンツの中からリリース月が「冬」に対応するコンテンツを抽出し、図９に示すように、リリース月が「冬」に対応する曲コンテンツのリストをディスプレイ２１に表示する。ユーザによって、このリストの中から再生したい曲コンテンツが選択されると、制御用マイコン２０は、選択された曲コンテンツの再生を行う。なお、ここでは、季節が「冬」に対応する作成月を、１２月、１月、及び２月であるものとするが他の任意の月の組み合わせであってもよい。
【００２６】
上記のようにネットワークプレーヤ２によれば、季節に合った曲をサーバ３から容易に抽出することができるので、ユーザにとって使い勝手が良い。
【００２７】
次に、ネットワークプレーヤ２が上記の曲コンテンツに加えてサーバ３上の画像コンテンツを再生する場合（所謂、スライドショーを実行する場合）の手順の例について説明する。まず、ユーザがサーバ３から抽出する画像コンテンツの作成月、又は季節を指定する。
【００２８】
ユーザにより、作成月として「１２月」が指定されると、制御用マイコン２０が、サーバ３から作成月が「１２月」である画像コンテンツを取得すると共に、作成月が「１２月」である曲コンテンツを取得する。そして、制御用マイコン２０は、取得した画像コンテンツをディスプレイ２１に順次表示すると共に、取得した曲コンテンツを自動的に再生する。なお、再生する曲コンテンツは作成月が「１２月」のものの中からユーザが任意に選択してもよい。
【００２９】
上記のネットワークプレーヤ２によれば、画像コンテンツを作成した月や季節に適した曲コンテンツを再生しながら、その画像コンテンツをディスプレイ２１に表示することができるので、ユーザにとって使い勝手がよい。
【００３０】
上述したように、本実施形態に係るネットワークプレーヤ３によれば、サーバ３に記録された曲コンテンツの作成月に基いて抽出した曲コンテンツのリストをディスプレイ２１に表示し、ユーザによってこのリストの中から曲が選択されたとき、選択された曲コンテンツを再生する。そのため、ユーザは所望の曲をリストの中から選択して再生させることができ、ユーザにとって使い勝手が良い。また、季節に合った曲を容易に選択して再生させることが可能となる。
【００３１】
また、季節の情報に基いて、サーバ３に記録された曲コンテンツを抽出することができるため、季節に合った曲を容易に選択することができ、ユーザとって使い勝手が良い。
【００３２】
なお、本発明は、上記実施形態の構成に限られず、発明の趣旨を変更しない範囲で種々の変形が可能である。例えば、上記の実施形態において、季節を指定してコンテンツを抽出する際に、季節を示すキーワード、例えば、運動会や、紅葉などを用いてもよい。
【図面の簡単な説明】
【００３３】
【図１】本発明の一実施形態に係るテレビと、サーバとを含むネットワークシステムの概略図。
【図２】上記ネットワークプレーヤの内部構成を示すブロック図。
【図３】上記サーバの内部構成を示すブロック図。
【図４】上記ネットワークプレーヤにおける曲コンテンツの再生手順を示す説明図。
【図５】上記ネットワークプレーヤにおける曲コンテンツの再生手順を示す説明図。
【図６】上記ネットワークプレーヤにおける曲コンテンツの再生手順を示す説明図。
【図７】上記ネットワークプレーヤにおける曲コンテンツの再生手順を示す説明図。
【図８】上記ネットワークプレーヤにおける曲コンテンツの再生手順を示す説明図。
【図９】上記ネットワークプレーヤにおける曲コンテンツの再生手順を示す説明図。
【符号の説明】
【００３４】
２  ネットワークプレーヤ（コンテンツ再生装置）
３  サーバ
２０  制御用マイコン（制御手段、再生手段）
２１  ディスプレイ（表示手段）
２２  スピーカ（出力手段）
２３  操作部（操作手段）
２４  ネットワークインタフェース（受信手段）
３０  制御用マイコン
３２  ＨＤＤ（記録手段）
【図１】
2009103920.tif 000003
【図２】
2009103920.tif 000004
【図３】
2009103920.tif 000005
【図４】
2009103920.tif 000006
【図５】
2009103920.tif 000007
【図６】
2009103920.tif 000008
【図７】
2009103920.tif 000009
【図８】
2009103920.tif 000010
【図９】
2009103920.tif 000011